(57)【要約】【課題】柔軟な棒状化粧料を円滑且つ確実に出没させるとともに、該棒状化粧料を簡易且つ確実に芯チャックに把持させることができるようにする。【解決手段】芯チャック４の把持部４ｂをなす三本の螺旋線条体４ａの外周面の基部に突設する突起部４ｆをカートリッジ筒２の螺旋雌ネジ溝２ｄ内に遊嵌するとともに軸筒８内の繰り出し機構９により芯チャック４に把持された棒状化粧料３を出没させることで、芯チャックの把持部には直接衝撃力は伝達されず、しかも直接棒状化粧料及び芯チャックの把持部とカートリッジ筒の貫通孔の内壁面との間に間隙が形成されるので、棒状化粧料は貫通孔の内壁面に接触せず折損や摩耗が生じることなく円滑且つ確実に出没し、さらに該芯チャックの把持部を捻って内径を拡大させつつエアー吸引を行うことで棒状化粧料を簡易且つ確実に芯チャックに把持できる。【選択図】図２
2010063556.tif 000002
【特許請求の範囲】
【請求項１】
カートリッジ筒と該カートリッジ筒と脱着自在となる容器本体とから構成され、
一方の該カートリッジ筒は、棒状化粧料、該棒状化粧料を把持する芯チャック及びスプリングを着装し、
該カートリッジ筒は、後端開口部にブッシュを装着するとともに、その内部を貫通する貫通孔の内壁面に複数の螺旋雌ネジ溝を螺設し、
該芯チャックは、該貫通孔の内壁面に螺設される複数の螺旋雌ネジ溝に摺動自在に遊嵌する突起部をその外周面の基部に突設するとともに、弾性を持って径方向に拡開、縮小する複数の螺旋線条体からなる把持部と、後述する押棒の先端と常に当接する基部とからなり、
棒状化粧料を弾性を持って把持する芯チャックの把持部をなす複数の螺旋線条体の外周面の基部に突設する突起部を、カートリッジ筒の貫通孔の内壁面に螺設される複数の螺旋雌ネジ溝に対して摺動自在に遊嵌するとともに、その把持部において棒状化粧料を弾性を持って把持する芯チャックの基部とカートリッジ筒の後端開口部のブッシュとの間にスプリングを伸縮自在に介装するものであって、
他方の該容器本体は、継手筒、軸筒及び該軸筒内に繰り出し機構を内装し、
該継手筒は、カートリッジ筒を保持する保持部と、後述する軸筒内に嵌合する嵌合部とからなり、
該軸筒は、その内部に繰り出し機構を内装するように一端を封止する筒体であり、
該繰り出し機構は、軸筒の回転に合わせて芯チャックの基部に常に当接する押棒を進退させ、
軸筒内に繰り出し機構を内装するとともに、該軸筒に対して継手筒の嵌合部を嵌合するものであって、
上記容器本体の軸筒を回転させることで棒状化粧料をカートリッジ筒より出没させることを特徴とする棒状化粧料容器。
【請求項２】
上記該芯チャックの把持部をなす複数の螺旋線条体において、各螺旋線条体の内側面に沿って棒状化粧料と係合することとなる棒状化粧料抜け防止リブを突出して形成することを特徴とする請求項１記載の棒状化粧料容器。
【請求項３】
上記該芯チャックの把持部をなす複数の螺旋線条体において、各螺旋線条体の内側面の内底部近傍において、棒状化粧料の端部が当接することとなるストッパーを突出形成することを特徴とする請求項１又は２記載の棒状化粧料容器。
【発明の詳細な説明】
【技術分野】
【０００１】
本願発明は、例えば口紅やアイライナー等の棒状化粧料を出没自在に収容する棒状化粧料容器に関する。
【背景技術】
【０００２】
従来、例えば口紅やアイライナー等の棒状化粧料を出没自在に収容する棒状化粧料容器には、先筒の後端に雌ねじ部を備え、容器本体筒内には押棒の突起を縦に使用した係合溝が回転止め機構を構成し、雌ねじ部とこれに螺合する押棒の突起とが螺合機構を構成するものがある。そのため、押棒と先筒を相互に回転させることで棒状化粧料は回転しながら出没するものである。
【０００３】
しかしながら、前記棒状化粧料容器において、芯チャックに保持される口紅やアイライナー等の棒状化粧料は柔軟であるので、温度変化や棒状化粧料の塗布に際しての応力により容易に変形するものである。そのため、変形した棒状化粧料を先筒内外へ出没させると、芯チャックによって保持された棒状化粧料は偏心しつつ回転するものである。その結果、棒状化粧料は先筒の内壁面に接触し、棒状化粧料において折損や摩耗が発生する恐れがあった。
【０００４】
そこで、先端に開口孔を備えた先筒と、該先筒に回転可能に連結された容器本体と、該容器本体内に内装され、先端に棒状化粧料を保持する化粧料保持部が形成された押棒とからなり、前記先筒と容器本体との回転により押棒が軸方向に移動して先筒の開口孔より棒状化粧料を出没させてなるものであって、該先筒内に形成された螺旋溝に対して押棒先端の化粧料保持部を螺状片とした上で、該化粧料保持部を螺旋溝に進退自在に収容してなる棒状化粧材繰出容器が提案されている。
【特許文献１】特許第３４４１４３０号公報
【０００５】
上記特許文献１の棒状化粧材繰出容器では、棒状化粧料を保持する化粧料保持部が螺状片となっており、該化粧料保持部は先筒内の螺旋溝に対して進退自在に収容されている。その結果、先筒の先端の開口孔より進退する棒状化粧料と先筒の内周面との間に間隔が形成されるものである。その結果、先筒の開口孔より進退する棒状化粧料において変形が生じても、前記棒状化粧料と先筒の内周面との間に形成される間隔によって、棒状化粧料と先筒の内周面とは接触せず、棒状化粧料の折損や摩耗を防止することができる。
【０００６】
しかしながら、該化粧料保持部が先筒内の螺旋溝と衝突すると、その衝撃力は直接螺状片の化粧料保持部を通して棒状化粧料に伝達され、変形が発生する恐れがある。
そして、該押棒の先端の化粧料保持部に対して棒状化粧料を保持させるにあたっては、一旦螺状片となっていて弾性を有する化粧料保持部の内径を拡大させた上で挿嵌しなければならない。そのため、棒状化粧料を保持するため化粧料保持部の内径を拡大させる際には化粧料保持部の有する弾性に抗する大きな力が必要となる。その上、棒状化粧料を正確に保持させるためには変形させた化粧料保持部に対して棒状化粧料を軸方向に正確に挿嵌しなければならない。従って、螺状片である化粧料保持部の変形させつつ正確に棒状化粧料を挿嵌させることは非常に困難である。その結果、製造工程における作業性は著しく低下してしまうものである。
【発明の開示】
【発明が解決しようとする課題】
【０００７】
そこで、発明が解決しようとする問題点は、変形しやすい柔軟な棒状化粧料を安定して出没させるとともに、簡易且つ確実に柔軟な棒状化粧料が芯チャックに保持できるようにする。
【課題を解決するための手段】
【０００８】
まず第１の特徴として、
カートリッジ筒と該カートリッジ筒と脱着自在となる容器本体とから構成され、
一方の該カートリッジ筒は、棒状化粧料、該棒状化粧料を把持する芯チャック及びスプリングを着装し、
該カートリッジ筒は、後端開口部にブッシュを装着するとともに、その内部を貫通する貫通孔の内壁面に複数の螺旋雌ネジ溝を螺設し、
該芯チャックは、該貫通孔の内壁面に螺設される複数の螺旋雌ネジ溝に摺動自在に遊嵌する突起部をその外周面の基部に突設するとともに、弾性を持って径方向に拡開、縮小する複数の螺旋線条体からなる把持部と、後述する押棒の先端と常に当接する基部とからなり、
棒状化粧料を弾性を持って把持する芯チャックの把持部をなす複数の螺旋線条体の外周面の基部に突設する突起部を、カートリッジ筒の貫通孔の内壁面に螺設される複数の螺旋雌ネジ溝に対して摺動自在に遊嵌するとともに、その把持部において棒状化粧料を弾性を持って把持する芯チャックの基部とカートリッジ筒の後端開口部のブッシュとの間にスプリングを伸縮自在に介装するものであって、
他方の該容器本体は、継手筒、軸筒及び該軸筒内に繰り出し機構を内装し、
該継手筒は、カートリッジ筒を保持する保持部と、後述する軸筒内に嵌合する嵌合部とからなり、
該軸筒は、その内部に繰り出し機構を内装するように一端を封止する筒体であり、
該繰り出し機構は、軸筒の回転に合わせて芯チャックの基部に常に当接する押棒を進退させ、
軸筒内に繰り出し機構を内装するとともに、該軸筒に対して継手筒の嵌合部を嵌合するものであって、
上記容器本体の軸筒を回転させることで棒状化粧料をカートリッジ筒より出没させるものである。
【０００９】
そこで、第１の特徴を踏まえて、例えば
上記繰り出し機構はネジ筒、押棒、溝筒及びスプリングからなり、
該ネジ筒は、軸筒内に固持され、その内壁面に螺旋溝を螺設し、
該押棒は、ネジ筒の螺旋溝に遊嵌する突起を外壁面に突設し、
該溝筒は、ネジ筒と押棒との間で押棒の突起を軸方向に直進させる案内溝を溝設して、
押棒の外周に溝筒を、該溝筒の外周に軸筒内に固持されるネジ筒を配置すると共に、押棒とネジ筒との間にスプリングを伸縮自在となるように介装し、押棒の外壁面に突設する突起を溝筒の案内溝を通してネジ筒の内壁面の螺旋溝に摺動自在に遊嵌するものであって、
軸筒を回転させることで押棒を進退させるものである。
【００１０】
そのため、カートリッジ筒と軸筒とを相互に回転させ、繰り出し機構によって押棒を進退させると、棒状化粧料を把持する芯チャックの把持部をなす複数の螺旋線条体の外周面の基部に突設する突起部がカートリッジ筒の貫通孔の内壁面に螺設される複数の螺旋雌ネジ溝に遊嵌しているので、押棒の進退に合わせて該貫通孔の螺旋雌ネジ溝に沿って回転しながら進退するとともに、カートリッジ筒の開口部のブッシュと芯チャックの基部との間及び押棒とネジ筒との間に介装するスプリングは各々伸縮するものとなる。その結果、押棒の進退及び伸縮するスプリングの弾性によってカートリッジ筒の先端より棒状化粧料は出没するものである。
【００１１】
そして、該カートリッジ筒の貫通孔の内壁面に螺設される螺旋雌ネジ溝内に突起部が遊嵌しているので棒状化粧料を把持する螺旋線条体に対しては衝撃力は伝達されず、棒状化粧料において変形等は生じにくくなる。その上、芯チャックの突起部がカートリッジ筒の螺旋雌ネジ溝内に遊嵌することで、芯チャックの把持部及び該把持部に把持される棒状化粧料と該カートリッジ筒の貫通孔の内壁面との間には間隙が形成される。その結果、芯チャックの把持部に把持される棒状化粧料が自重や熱により変形しても、芯チャックの把持部及び該把持部に把持される棒状化粧料と、該カートリッジ筒の貫通孔の内壁面との間に形成される間隙によって棒状化粧料が変形してしまっても貫通孔の内壁面に接触することはなく、棒状化粧料の折損や摩耗を防止することができる。
【００１２】
また、カートリッジ筒の製造工程において、棒状化粧料を芯チャックに把持させる場合には、カートリッジ筒の貫通孔の内壁面に螺設する螺旋雌ネジ溝に対して芯チャックの把持部をなす複数の螺旋線条体を係合させながら、カートリッジ筒の軸線方向には相対移動を抑止して螺旋雌ネジ溝の螺旋の巻き方向とは逆方向に捻るとその内径が拡開し、さらにエアー吸引を行うことによって、棒状化粧料は、中心が拡開した芯チャックの把持部内に収容される。そして芯チャックの把持部における内径を拡開する捻りを解消することで、棒状化粧料は、簡易且つ確実に該芯チャックの把持部をなす複数の螺旋線条体によって把持されるものとなる。
【００１３】
そして、第２の特徴として、上記第１の特徴を踏まえて、
上記該芯チャックの把持部をなす複数の螺旋線条体において、各螺旋線条体の内側面に沿って棒状化粧料と係合することとなる棒状化粧料抜け防止リブを突出して形成するものである。
【００１４】
そのため、芯チャックの把持部をなす複数の螺旋線条体の内側面に沿って形成される棒状化粧料抜け防止リブは、芯チャックの把持部をなす複数の螺旋線条体の有する弾性によって、該螺旋線条体の保持する棒状化粧料の表面に食い込むものとなる。その結果、棒状化粧料は軸方向に引張されても、棒状化粧料の表面に強固に食い込む棒状化粧料抜け防止リブによって確実に芯チャックの把持部内に把持され、芯チャックより抜出することは防止できる。
【００１５】
更に、第３の特徴として、上記第１及び第２の特徴を踏まえて、
上記該芯チャックの把持部をなす複数の螺旋線条体において、各螺旋線条体の内側面の内底部近傍において、棒状化粧料の端部が当接することとなるストッパーを突出形成するものである。
【００１６】
そのため、芯チャックの把持部内に把持されている棒状化粧料の端部はストッパーに当接して一体となる。従って、棒状化粧料に対して軸方向への押勢力が加わってもそれ以上芯チャックの把持部内を軸方向に移動することはない。その結果、ストッパーにより螺旋線条体を根元から拡開させる必要がなくなり、即ち棒状化粧料を把持するのに最低限の拡開で足り、棒状化粧料を均一に保持することができる。
【発明の効果】
【００１７】
本願発明は、柔軟な棒状化粧料に対する折損や摩耗を防止してカートリッジ筒より円滑且つ確実に出没自在させるとともに、製造工程において芯チャックに対して該棒状化粧料を簡易且つ確実に保持させて作業性の向上を図ることができるという優れた効果を有する。
【実施例】
【００１８】
図１乃至図６において示される１は、本願発明の実施例である棒状化粧料容器である。該棒状化粧料容器１は、カートリッジ筒２と該カートリッジ筒２を脱着自在となる容器本体６とから構成される。
【００１９】
まず、一方の該カートリッジ筒２は、例えば口紅やアイライナー等の柔軟な棒状化粧料３、該棒状化粧料３を把持する芯チャック４及びスプリング５を着装するものである。
該カートリッジ筒２は、後端開口部２ａにブッシュ２ｂを装着するとともに、その内部を貫通する貫通孔２ｃを穿設し、該貫通孔２ｃの内壁面には三本の螺旋雌ネジ溝２ｄを螺設してなるものである。
該芯チャック４は、カートリッジ筒２の貫通孔２ｃの内壁面に螺設される三本の螺旋雌ネジ溝２ｄに摺動自在に遊嵌する突起部４ｆをその外周面の基部に突設するとともに、弾性を持って径方向に拡開、縮小する三本の螺旋線条体４ａからなる把持部４ｂと、後述する押棒１１の先端と常に当接する基部４ｃとからなるものである。
そのため、カートリッジ筒２においては、芯チャック４の把持部４ｂをなす三本の螺旋線条体４ａの外周面の基部に突設する突起部４ｆを、カートリッジ筒２の貫通孔２ｃの内壁面に螺設される三本の螺旋雌ネジ溝２ｄに対して摺動自在に遊嵌するとともに、該芯チャック４の基部４ｃとカートリッジ筒２の後端開口部２ａのブッシュ２ｂとの間にスプリング５を伸縮自在に介装してなるものである。
【００２０】
次に、他方の該容器本体６は、継手筒７、軸筒８及び該軸筒８内に繰り出し機構９を内装してなるものである。
該継手筒７は、カートリッジ筒２を保持する保持部７ａと、後述する軸筒８内に嵌合する嵌合部７ｂとからなるものである。
該軸筒８は、後述する繰り出し機構９を内装できるように筒状となっている。
該繰り出し機構９はネジ筒１０、押棒１１、溝筒１２及びスプリング１３からなるものである。
該ネジ筒１０は、軸筒８内に固持されるとともに、その内壁面に螺旋溝１０ａを螺設するものである。
該押棒１１は、ネジ筒１０の螺旋溝１０ａに遊嵌する突起１１ａを外壁面に突設するものである。
該溝筒１２は、ネジ筒１０と押棒１１との間で押棒１１の突起１１ａを軸方向に直進させる案内溝１２ａを溝設するものである。
そこで、容器本体６においては、押棒１１の外周に溝筒１２を、該溝筒１２の外周に軸筒８内に固持されるネジ筒１０を配置すると共に、ネジ筒１０の後端と押棒１１の後端との間にスプリング１３を伸縮自在に介装した上で、押棒１１の外壁面に突設する突起１１ａを溝筒１２の案内溝１２ａを通してネジ筒１０の内壁面の螺旋溝１０ａに摺動自在に遊嵌するものである。
【００２１】
以上のように、カートリッジ筒２と容器本体６とは構成され、該カートリッジ筒２と容器本体６とを回転自在に一体として本願発明の実施例である棒状化粧料容器１とする。
まず、容器本体６をなす軸筒８を回転させることで容器本体６の軸筒８内に内装する繰り出し機構９により押棒１１を進退させるものである。そして、該押棒１１の進退によってスプリング１３を伸縮させながら、押棒１１の先端が当接する芯チャック４においてスプリング５を伸縮させつつ進退させるものである。その結果、該芯チャック４ｃに保持される棒状化粧料３はカートリッジ筒２より出没するものである。
【００２２】
さらに、上記該芯チャック４の把持部４ｂをなす三本の螺旋線条体４ａにおいて、各螺旋線条体４ａの内側面に沿って棒状化粧料３と係合する棒状化粧料抜け防止リブ４ｄを突出して形成するものである。
【００２３】
また、上記該芯チャック４の把持部４ｂをなす三本の螺旋線条体４ａにおいて、各螺旋線条体４ａの内側面の内底部近傍において、棒状化粧料３の端部が当接するストッパー４ｅを突出形成するものである。
【００２４】
その上、上記容器本体６を構成する軸筒８の後端において後方開口部８ａを形成するとともに、該後方開口部８ａにキャップ１４ａ、刷子１４ｂ及び該刷子１４ｂを固持する刷子ホルダー１４ｃとからなる刷子カートリッジ体１４を挿嵌、固持してなるものである。
【００２５】
本願発明の実施例である棒状化粧料容器１は以上の構成を具えるので、使用者は以下のようにして使用に供するものである。
即ち、上記棒状化粧料容器１より棒状化粧料３を突出させるにあたっては、使用者はカートリッジ筒２を把持するとともに、容器本体６をなす軸筒８を回転させるものである。そのため該軸筒８の回転により、軸筒８内に固持されるネジ筒１０は軸筒８とともに回転し、該ネジ筒１０の内壁面の螺旋溝１０ａには溝筒１２の軸方向に直進する案内溝１２ａを介して押棒１１の外壁面に突設する突起１１ａが摺動自在に遊嵌されている。その結果、容器本体６内において該押棒１１は、該押棒１１とネジ筒１０との間に介装したスプリング１３を伸長させながら、溝筒１２内を前進するものとなる。そして容器本体６内を前進する押棒１１は、その先端が当接する芯チャック４をなす基部４ｃ後端を押勢するものである。さらに、押棒１１は該芯チャック４の基部４ｃとカートリッジ筒２の後端開口部２ａのブッシュ２ｂとの間に介装されるスプリング５を伸長させつつ押勢するので、芯チャック４の把持部４ｂをなす三本の螺旋線条体４ａの外周面の基部に突設された突起部４ｆはカートリッジ筒２の貫通孔２ｃの内壁面に螺設された螺旋雌ネジ溝２ｄに沿って回転しながら前進するものとなる。従って、該芯チャック４に把持された棒状化粧料３は芯チャック４の前進に伴ってカートリッジ筒２の開口部２ｃより突出するものとなる。
そして、棒状化粧料３を塗布した後は、棒状化粧料容器１を反転させて、刷子カートリッジ体１４のキャップ１４ａを外して刷子ホルダー１４ｃに固持される刷子１４ｂによって、塗布した棒状化粧料３を適宜調整することができるものである。
【００２６】
なお、このようにカートリッジ筒２より突出した棒状化粧料３を引き抜こうとしても、芯チャック４の三本の螺旋線条体４ａの内側面に沿って配設される棒状化粧料３と係合する棒状化粧料抜け防止リブ４ｄにより棒状化粧料３は確実に固持されている。その結果、棒状化粧料容器１より柔軟な棒状化粧料３が脱落しすることを防止できる。
また、芯チャック４の三本の螺旋線条体４ａの外周面の基部に突設される突起部４ｆがカートリッジ筒２の貫通孔２ｃの内壁面に螺設された３本の螺旋雌ネジ溝２ｄに各々遊嵌することで次のようになるものである。即ち、
まず棒状化粧料３を把持する三本の螺旋線条体４ａに対しては直接衝撃力が伝達されにくくなるので棒状化粧料３は変形しにくくなる。
その上、芯チャック４の把持部４ｂをなす三本の螺旋線条体４ａとカートリッジ筒２の貫通孔２ｃの内壁面との間には間隙が形成される。その結果、芯チャック４が貫通孔２ｃの内壁面と接触することはなく、該芯チャック４が把持する棒状化粧料３の変形や折損を防止できるものである。
【００２７】
さらに、上記芯チャック４の把持部４ｂをなす三本の螺旋線条体４ａにおいて、各螺旋線条体４ａの内側面の内底部近傍においてストッパー４ｅを突出形成しているので、棒状化粧料３の端部は当接して芯チャック４と一体となる。その結果、ストッパー４ｅにより三本の螺旋線条体４ａを根元から拡開させる必要がなく、即ち最低限だけ拡開させれば足り、棒状化粧料３を均一に保持することができるものとなる。
【００２８】
また、使用後は容器本体６の軸筒８を反対方向に回転させることで、押棒１１はネジ筒１０内を後退するとともに、棒状化粧料３を突出させるにあたって伸長していたスプリング１３は圧縮する。その結果、芯チャック４は再びカートリッジ筒２の貫通孔２ｃの内壁面に螺設される螺旋雌ネジ溝２ｄに沿って回転しつつ、且つスプリング５を圧縮しながら後退するので、該芯チャック４の把持部４ｂに把持された棒状化粧料３はカートリッジ筒２内に没入するものである。
【００２９】
なお、芯チャック４の把持部４ｂに対して棒状化粧料３を把持させるにあたっては、図６において示すようにするものである。即ち、カートリッジ筒２の後端より芯チャック４を挿入し、貫通孔２ｃの内壁面に螺設される螺旋雌ネジ溝２ｄに係合させるととも、カートリッジ筒２の軸線方向には相対移動を抑止して螺旋雌ネジ溝２ｄの螺旋の巻き方向とは逆方向に捻ることで、該芯チャック４の把持部４ｂをなす三本の螺旋線条体４ａの内径は拡開する。そして、カートリッジ筒２の後部方向よりエアー吸引を行うことでカートリッジ筒２の先端開口部２ｅにおいて貫通孔２ｃ内への吸引力が発生する。その結果、カートリッジ筒２の先端開口部２ｅより吸引された棒状化粧料３はカートリッジ筒２内の貫通孔２ｃを通して芯チャック４の把持部４ｂ内においてストッパー４ｅに当接するまで装填されるものとなる。その後、芯チャック４の三本の螺旋線条体４ａに対する捻りを解除することで、芯チャック４の三本の螺旋線条体４ａは拡開していた内径を縮小させて確実に棒状化粧料３を把持するものとなる。
【産業上の利用可能性】
【００３０】
本願発明は、口紅やアイライナー等の柔軟な棒状化粧料を円滑且つ確実に出没させることができるとともに、しかも該棒状化粧料を容易に芯チャックに把持させることができることから、棒状のり等を出没自在に収容する容器にも広く適用することができる。
【図面の簡単な説明】
【００３１】
【図１】本願発明の実施例である棒状化粧料容器の正面図である。
【図２】本願発明の実施例である棒状化粧料容器の断面図である。
【図３】本願発明の実施例である棒状化粧料容器における芯チャックの正面図である。
【図４】本願発明の実施例である棒状化粧料容器におけるカートリッジ筒の断面図である。
【図５】本願発明の実施例である棒状化粧料容器におけるカートリッジ筒での棒状化粧料を把持する芯チャックの作動状態を示す模式図である。
【図６】本願発明の実施例である棒状化粧料容器におけるカートリッジ筒での芯チャックに対する棒状化粧料を把持させる条体を示す図である。
【符号の説明】
【００３２】
１  棒状化粧料容器
２  カートリッジ筒
２ａ  後端開口部
２ｂ  ブッシュ
２ｃ  貫通孔
２ｄ  螺旋雌ネジ溝
２ｅ  先端開口部
３  棒状化粧料
４  芯チャック
４ａ  螺旋線条体
４ｂ  把持部
４ｃ  基部
４ｄ  棒状化粧料抜け防止リブ
４ｅ  ストッパー
４ｆ  突起部
５  スプリング
６  容器本体
７  継手筒
７ａ  保持部
７ｂ  嵌合部
８  軸筒
８ａ  後方開口部
９  繰り出し機構
１０  ネジ筒
１０ａ  螺旋溝
１１  押棒
１１ａ  突起
１２  溝筒
１２ａ  案内溝
１３  スプリング
１４  刷子カートリッジ体
１４ａ  キャップ
１４ｂ  刷子
１４ｃ  刷子ホルダー
【図１】
2010063556.tif 000003
【図２】
2010063556.tif 000004
【図３】
2010063556.tif 000005
【図４】
2010063556.tif 000006
【図５】
2010063556.tif 000007
【図６】
2010063556.tif 000008